(57)【要約】【課題】撮像撮像素子を支持する撮像素子支持部材をレンズユニットが装着されるレンズマウント部に対して相対的に移動させる場合にも、撮像素子の中心をレンズユニットの光軸と一致させることが可能な撮像装置を提供する。【解決手段】この監視カメラ１（撮像装置）は、レンズユニット５０の雄ネジ部５０ａと螺合可能な雌ネジ部１１ａを含むレンズマウント１１と、映像を撮像するＣＣＤ１６を支持するとともに、レンズマウント１１に対してレンズユニット５０の光軸Ｌの延びる方向に移動可能で、かつ、レンズマウント１１の雌ネジ部１１ａと螺合する雄ネジ部１２ａを含むＣＣＤ支持部材１２とを備える。【選択図】図６
2010266545.tif 000002
【特許請求の範囲】
【請求項１】
映像を撮像するための撮像素子と、
レンズユニットのネジ部と螺合可能な第１ネジ部を含むレンズマウント部と、
前記撮像素子を支持するとともに、前記レンズマウント部に対して前記レンズユニットの光軸の延びる方向に移動可能で、かつ、前記レンズマウント部の第１ネジ部と螺合する第２ネジ部を含む撮像素子支持部材とを備えた、撮像装置。
【請求項２】
前記撮像素子支持部材は、前記レンズマウント部が回転されることにより、前記レンズマウント部に対して前記レンズユニットの光軸の延びる方向に移動するように構成されている、請求項１に記載の撮像装置。
【請求項３】
前記レンズマウント部を配置可能なフロントパネルをさらに備え、
前記レンズマウント部の第１ネジ部は、前記レンズマウント部の内周面に設けられ、
前記撮像素子支持部材の第２ネジ部は、前記撮像素子支持部材の外周面に設けられ、
前記レンズマウント部は、前記フロントパネルに対して回転可能に構成されるとともに、前記レンズユニットの光軸の延びる方向への移動が抑制されており、
前記撮像素子支持部材は、前記レンズユニットの光軸の延びる方向へ移動可能に構成されるとともに、前記フロントパネルに対する回転が抑制されるように構成されている、請求項２に記載の撮像装置。
【請求項４】
前記レンズマウント部を配置可能なフロントパネルをさらに備え、
前記フロントパネルは、第１係合部を一体的に含み、
前記レンズマウント部は、前記レンズマウント部の前記レンズユニットの光軸の延びる方向の移動を抑制しながら、前記レンズマウント部を回転可能に前記フロントパネルの第１係合部と係合する第２係合部を含む、請求項１〜３のいずれか１項に記載の撮像装置。
【請求項５】
前記フロントパネルの第１係合部は、弾性変形可能に形成される爪部により構成されている、請求項４に記載の撮像装置。
【請求項６】
前記レンズマウント部を配置可能なフロントパネルをさらに備え、
前記フロントパネルは、前記レンズユニットの光軸の延びる方向と略同じ方向に延びるように形成された溝部を一体的に含み、
前記撮像素子支持部材は、前記撮像素子支持部材が前記フロントパネルに対して相対的に回転するのを抑制しながら前記レンズユニットの光軸の延びる方向に移動可能なように前記フロントパネルの溝部と係合する突起部をさらに含む、請求項１〜５のいずれか１項に記載の撮像装置。
【請求項７】
前記レンズマウント部を配置可能なフロントパネルと、
使用時に前記レンズマウント部が前記フロントパネルに対して相対的に回転することにより前記撮像素子支持部材が前記レンズユニットの光軸が延びる方向に移動するのを抑制するストッパ部材とをさらに備える、請求項２〜６のいずれか１項に記載の撮像装置。
【請求項８】
前記レンズマウント部を配置可能なフロントパネルをさらに備え、
前記レンズマウント部は、ユーザにより操作可能な円形状の操作部をさらに含み、
前記操作部の直径は、前記フロントパネルの前記レンズマウント部が配置される側の外側面の内接円の直径以上の長さを有している、請求項１〜６のいずれか１項に記載の撮像装置。
【発明の詳細な説明】
【技術分野】
【０００１】
この発明は、撮像装置に関し、特に、撮像素子を支持する撮像素子支持部材を備えた撮像装置に関する。
【背景技術】
【０００２】
従来、撮像素子を支持する撮像素子支持部材を備えた撮像装置などが知られている（たとえば、特許文献１〜３）。
【０００３】
上記特許文献１には、映像を撮像するためのＣＣＤ（撮像素子）を支持するブラケット（撮像素子支持部材）と、撮像レンズを装着可能なレンズ座（レンズマウント部）が設けられた前面エスカッションとを備えた撮像装置が開示されている。前面エスカッションの後方面には、撮像レンズの光軸線上とは異なる位置に、後方に延びる軸部材が設けられている。また、ブラケットは、軸部材が挿入される挿通孔を有しており、挿通孔に軸部材が挿入されることにより、前面エスカッションに対して前後方向に移動可能に取り付けられている。
【０００４】
また、上記特許文献２には、映像を撮像するための撮像素子を支持するブラケット（撮像素子支持部材）と、レンズユニットを装着可能に構成され、後方が開放された箱型のエスカッションとを備えたテレビカメラ（撮像装置）が開示されている。エスカッションの後方面には、レンズユニットの光軸線上とは異なる位置に、後方に延びる位置決めピンが設けられている。また、ブラケットは、位置決めピンが挿入される位置決め穴を有しており、位置決め穴に位置決めピンが挿入されることにより、エスカッションに対して前後方向に移動可能に取り付けられている。
【０００５】
また、上記特許文献３には、映像を撮像するための固体撮像素子（撮像素子）を支持するホルダ（撮像素子支持部材）と、光学レンズを装着可能に構成されたフロントパネルとを備えたビデオカメラ（撮像装置）が開示されている。フロントパネルの後方面には、光学レンズの光軸線上とは異なる位置に、後方に延びるガイドロッドが設けられている。また、ホルダは、ガイドロッドが挿入される貫通孔を有しており、貫通孔にガイドロッドが挿入されることにより、フロントパネルに対して前後方向に移動可能に取り付けられている。
【先行技術文献】
【特許文献】
【０００６】
【特許文献１】特開２００２−３４４７９７号公報
【特許文献２】特開平７−２１２６３４号公報
【特許文献３】特開平６−７８１９０号公報
【発明の概要】
【発明が解決しようとする課題】
【０００７】
しかしながら、上記特許文献１の撮像装置では、前面エスカッションの撮像レンズの光軸線上とは異なる位置に軸部材が設けられているので、撮像レンズと軸部材との位置関係が製造誤差等によりばらつく場合があるとともに、軸部材の真直度も製造誤差等によりばらつく場合があるという不都合がある。このため、ブラケット（撮像素子支持部材）を撮像レンズが装着されるレンズ座に対して撮像レンズの光軸が延びる方向に移動させる際に、ブラケットに保持されたＣＣＤ（撮像素子）の中心を撮像レンズの光軸と一致させるのが困難であるという問題点がある。
【０００８】
また、上記特許文献２のテレビカメラ（撮像装置）では、エスカッションのレンズユニットの光軸線上とは異なる位置に位置決めピンが設けられているので、レンズユニットと位置決めピンとの位置関係が製造誤差等によりばらつく場合があるとともに、位置決めピンの真直度も製造誤差等によりばらつく場合があるという不都合がある。このため、ブラケット（撮像素子支持部材）をレンズユニットが装着されるエスカッションに対してレンズユニットの光軸が延びる方向に移動させる際に、ブラケットに保持された撮像素子の中心をレンズユニットの光軸と一致させるのが困難であるという問題点がある。
【０００９】
また、上記特許文献３のビデオカメラ（撮像装置）では、フロントパネルの光学レンズの光軸線上とは異なる位置にガイドロッドが設けられているので、光学レンズとガイドロッドとの位置関係が製造誤差等によりばらつく場合があるとともに、ガイドロッドの真直度も製造誤差等によりばらつく場合があるという不都合がある。このため、ホルダを光学レンズが装着されるフロントパネルに対して光学レンズの光軸が延びる方向に移動させる際に、ホルダに保持された固体撮像素子（撮像素子）の中心を光学レンズの光軸と一致させるのが困難であるという問題点がある。
【００１０】
この発明は、上記のような課題を解決するためになされたものであり、この発明の１つの目的は、撮像素子を支持する撮像素子支持部材をレンズユニットが装着されるレンズマウント部に対して相対的に移動させる場合にも、撮像素子の中心をレンズユニットの光軸と一致させることが可能な撮像装置を提供することである。
【課題を解決するための手段および発明の効果】
【００１１】
この発明の一の局面による撮像装置は、映像を撮像するための撮像素子と、レンズユニットのネジ部と螺合可能な第１ネジ部を含むレンズマウント部と、撮像素子を支持するとともに、レンズマウント部に対してレンズユニットの光軸の延びる方向に移動可能で、かつ、レンズマウント部の第１ネジ部と螺合する第２ネジ部を含む撮像素子支持部材とを備える。
【００１２】
この発明の一の局面による撮像装置では、上記のように、レンズユニットのネジ部と螺合可能な第１ネジ部を含むレンズマウント部と、映像を撮像する撮像素子を支持するとともに、レンズマウント部に対してレンズユニットの光軸の延びる方向に移動可能で、かつ、レンズマウント部の第１ネジ部と螺合する第２ネジ部を含む撮像素子支持部材とを設けることによって、レンズマウント部の第１ネジ部に対して、レンズユニットのネジ部と撮像素子支持部材の第２ネジ部との両方が螺合されるので、レンズユニットのネジ部の中心軸と撮像素子支持部材の第２ネジ部の中心軸とを、確実に同軸上に配置することができる。これにより、レンズマウント部に対してレンズユニットの光軸の延びる方向に移動可能な撮像素子支持部材に支持される撮像素子の中心がレンズマウント部の第１ネジ部の中心軸からずれるのを抑制することができるので、撮像素子支持部材をレンズユニットが装着されるレンズマウント部に対して相対的に移動させる場合にも、撮像素子支持部材に保持された撮像素子の中心がレンズマウント部の第１ネジ部に装着されたレンズユニットの光軸からずれるのを抑制することができ、その結果、撮像素子の中心をレンズユニットの光軸と一致させることができる。
【００１３】
上記一の局面による撮像装置において、好ましくは、撮像素子支持部材は、レンズマウント部が回転されることにより、レンズマウント部に対してレンズユニットの光軸の延びる方向に移動するように構成されている。このように構成すれば、撮像素子支持部材をレンズマウント部に対してレンズユニットの光軸の延びる方向に移動させるための部品を別途設ける必要がないので、部品点数が増加するのを抑制することができる。
【００１４】
この場合、好ましくは、レンズマウント部を配置可能なフロントパネルをさらに備え、レンズマウント部の第１ネジ部は、レンズマウント部の内周面に設けられ、撮像素子支持部材の第２ネジ部は、撮像素子支持部材の外周面に設けられ、レンズマウント部は、フロントパネルに対して回転可能に構成されるとともに、レンズユニットの光軸の延びる方向への移動が抑制されており、撮像素子支持部材は、レンズユニットの光軸の延びる方向へ移動可能に構成されるとともに、フロントパネルに対する回転が抑制されるように構成されている。このように構成すれば、レンズマウント部を回転させることにより、撮像素子支持部材をレンズユニットの光軸の延びる方向に移動可能に構成しながら、撮像素子支持部材がフロントパネルに対して相対的に回転するのを抑制することができるので、撮像素子をフロントパネルに対してレンズユニットの光軸の延びる方向に移動させながら、撮像素子がフロントパネルに対して相対的に回転するのを抑制することができる。
【００１５】
上記一の局面における撮像装置において、好ましくは、レンズマウント部を配置可能なフロントパネルをさらに備え、フロントパネルは、第１係合部を一体的に含み、レンズマウント部は、レンズマウント部のレンズユニットの光軸の延びる方向の移動を抑制しながら、レンズマウント部を回転可能にフロントパネルの第１係合部と係合する第２係合部を含む。このように構成すれば、レンズマウント部がレンズユニットの光軸の延びる方向に移動するのを抑制しながら、レンズマウント部をフロントパネルに対して回転させることができる。
【００１６】
この場合、好ましくは、フロントパネルの第１係合部は、弾性変形可能に形成される爪部により構成されている。このように構成すれば、組み立て時に、フロントパネルの爪部の弾性を利用してレンズマウント部の第２係合部を爪部に係合させることができるので、レンズマウント部の第２係合部をフロントパネルの爪部に対して係合させる作業を容易化することができる。
【００１７】
上記一の局面における撮像装置において、好ましくは、レンズマウント部を配置可能なフロントパネルをさらに備え、フロントパネルは、レンズユニットの光軸の延びる方向と略同じ方向に延びるように形成された溝部を一体的に含み、撮像素子支持部材は、撮像素子支持部材がフロントパネルに対して相対的に回転するのを抑制しながら、レンズユニットの光軸の延びる方向に移動可能なようにフロントパネルの溝部と係合する突起部をさらに含む。このように構成すれば、撮像素子支持部材の突起部とフロントパネルの溝部とを係合させることにより、容易に、撮像素子支持部材をレンズユニットの光軸の延びる方向に移動させながら、撮像素子支持部材がレンズマウント部に対して相対的に回転するのを抑制することができる。
【００１８】
上記レンズマウント部が回転されることにより撮像素子支持部材がレンズユニットの光軸の延びる方向に移動する撮像装置において、好ましくは、レンズマウント部を配置可能なフロントパネルと、使用時にレンズマウント部がフロントパネルに対して相対的に回転することにより撮像素子支持部材がレンズユニットの光軸が延びる方向に移動するのを抑制するストッパ部材とをさらに備える。このように構成すれば、レンズユニットと撮像素子支持部材との間のレンズユニットの光軸の延びる方向の距離を、ユーザが所望する長さに固定することができる。
【００１９】
上記一の局面における撮像装置において、好ましくは、レンズマウント部を配置可能なフロントパネルをさらに備え、レンズマウント部は、ユーザにより操作可能な円形状の操作部をさらに含み、操作部の直径は、フロントパネルのレンズマウント部が配置される側の外側面の内接円の直径以上の長さを有している。このように構成すれば、容易に、フロントパネルに隣接する操作部を把持することができるので、レンズマウント部の操作部を操作しやすくすることができる。
【図面の簡単な説明】
【００２０】
【図１】本発明の一実施形態による監視カメラの全体構成を示した斜視図である。
【図２】図１に示した一実施形態による監視カメラの装置本体の構造を示した斜視図である。
【図３】図１に示した一実施形態による監視カメラの装置本体の内部の構造を示した分解斜視図である。
【図４】図１に示した一実施形態による監視カメラのフロントパネルを示した斜視図である。
【図５】図１に示した一実施形態による監視カメラの装置本体の内部の構造を示した背面図である。
【図６】図５に示した１００−１００線に沿った断面図である。
【図７】図１に示した一実施形態による監視カメラのフロントパネルおよびレンズマウントを示した正面図である。
【図８】図１に示した一実施形態による監視カメラのフロントパネルを示した正面図である。
【図９】図５に示した２００−２００線に沿った断面図である。
【図１０】図１に示した一実施形態による監視カメラのＣＣＤ支持部材を示した斜視図である。
【発明を実施するための形態】
【００２１】
以下、本発明を具体化した実施形態を図面に基づいて説明する。
【００２２】
図１〜図１０を参照して、本発明の一実施形態による監視カメラ１の構成を説明する。なお、本実施形態では、本発明の撮像装置の一例として監視カメラ１について説明する。
【００２３】
本発明の一実施形態による監視カメラ１は、図１に示すように、装置本体２と、装置本体２に取り付けられるレンズユニット５０とにより構成されている。レンズユニット５０は、装置本体２の後述するレンズマウント１１に装着されることにより装置本体２に取り付けられるように構成されている。
【００２４】
また、装置本体２は、図２に示すように、円形の開口部１０ａを有し、前側（矢印Ｘ１方向側）に配置される樹脂製のフロントパネル１０と、後側（矢印Ｘ２方向側）に配置される樹脂製のリヤキャビネット３０とを含んでいる。また、フロントパネル１０の開口部１０ａには、アルミ系合金からなる金属製で、かつ、円筒形状のレンズマウント１１が取り付けられている。また、フロントパネル１０の上面には、後述するネジ部材４０を所定の工具を用いて螺合するためのネジ孔部１０ｂが設けられている。
【００２５】
また、図３に示すように、装置本体２（図２参照）の内部には、樹脂製のＣＣＤ支持部材１２と、圧縮コイルバネ１３と、光学ローパスフィルタ１４と、ゴム製のクッション材１５と、映像を撮像するＣＣＤ１６と、ＣＣＤ１６をＣＣＤ支持部材１２に固定するための固定部材１７と、ＣＣＤ１６に電源を供給するプリント基板１８と、シャーシ１９とが配置されている。なお、ＣＣＤ支持部材１２は、本発明の「撮像素子支持部材」の一例であり、ＣＣＤ１６は、本発明の「撮像素子」の一例である。
【００２６】
また、図４に示すように、フロントパネル１０は、円形状の開口部１０ａに設けられた半径方向に弾性変形可能な６つの爪部１０ｃと、上側および下側の内面に設けられ、ＣＣＤ支持部材１２（図３参照）の後述する突起部１２ｂ（図３参照）と係合する２つの溝部１０ｄとを一体的に含んでいる。なお、爪部１０ｃは、本発明の「第１係合部」の一例である。６つの爪部１０ｃは、図５に示すように、開口部１０ａに角度α（α≒６０度）の等角度間隔で６つ設けられている。これら６つの爪部１０ｃは、図６に示すように、レンズマウント１１が前側（矢印Ｘ１方向側）から押し込まれることにより、半径方向の外側に弾性変形された後、レンズマウント１１の後述する凹部１１ｃと係合した際に変形前の状態に戻るように構成されている。また、２つの溝部１０ｄは、図４に示すように、光軸Ｌ（図３参照）が延びる方向（Ｘ方向）に延びるように形成されている。これら２つの溝部１０ｄは、図５に示すように、ＣＣＤ支持部材１２の後述する突起部１２ｂと係合した際に、ＣＣＤ支持部材１２をフロントパネル１０に対して、光軸Ｌ（図３参照）が延びる方向に移動可能で、かつ、相対的に回転するのを抑制するように構成されている。
【００２７】
ここで、本実施形態では、図３および図６に示すように、レンズマウント１１は、その内周面のレンズユニット５０（図６参照）の光軸Ｌが延びる方向に沿った全領域に形成された雌ネジ部１１ａを有している。この雌ネジ部１１ａには、図６に示すように、レンズユニット５０の雄ネジ部５０ａおよびＣＣＤ支持部材１２の後述する雄ネジ部１２ａの両方と螺合可能なように構成されている。具体的には、レンズユニット５０の雄ネジ部５０ａは、前側（矢印Ｘ１方向側）からレンズマウント１１の雌ネジ部１１ａに螺合され、ＣＣＤ支持部材１２の後述する雄ネジ部１２ａは、後側（矢印Ｘ２方向側）からレンズマウント１１の雌ネジ部１１ａに螺合されるように構成されている。つまり、レンズマウント１１の雌ネジ部１１ａと、レンズユニット５０の雄ネジ部５０ａと、ＣＣＤ支持部材１２の後述する雄ネジ部１２ａとは、略同一の中心軸を有する同心円状に形成されている。これにより、レンズマウント１１がＣＣＤ支持部材１２に対して回転した場合にも、レンズマウント１１およびＣＣＤ支持部材１２に支持されたＣＣＤ１６のそれぞれの中心軸がずれるのを抑制することが可能となる。なお、雌ネジ部１１ａは、本発明の「第１ネジ部」の一例であり、雄ネジ部５０ａは、本発明の「ネジ部」の一例である。
【００２８】
また、本実施形態では、レンズマウント１１は、前後方向（Ｘ方向）に延びるように形成された筒部１１ｂと、筒部１１ｂの外周面に周状に形成された凹部１１ｃと、フロントパネル１０の前面１０ｅよりも前方に突出するフランジ状のハンドル部１１ｄとを有している。なお、凹部１１ｃは、本発明の「第２係合部」の一例であり、ハンドル部１１ｄは、本発明の「操作部」の一例である。凹部１１ｃは、フロントパネル１０の６つの爪部１０ｃと係合することにより、レンズマウント１１が光軸Ｌが延びる方向（Ｘ方向）に移動するのを抑制しながらフロントパネル１０に対して回転可能なように構成されている。また、ハンドル部１１ｄは、図３および図７に示すように、ユーザが操作する際に滑りにくくするために、外周面が凹凸形状を有している。また、ハンドル部１１ｄの直径Ｄ１は、図７および図８に示すように、実質的に正方形形状を有するフロントパネル１０の前面１０ｅの最大内接円Ｃの直径Ｄ２（図８参照）と略同じ直径を有している。
【００２９】
また、本実施形態では、レンズマウント１１は、図６に示すように、ＣＣＤ支持部材１２をフロントパネル１０に対して光軸Ｌが延びる方向（Ｘ方向）にスライド移動可能に支持している。具体的には、ＣＣＤ支持部材１２は、図９に示すように、前部の外周面に設けられ、レンズマウント１１の雌ネジ部１１ａと螺合する雄ネジ部１２ａと、後部の外周面に設けられ、フロントパネル１０の２つの溝部１０ｄのそれぞれと係合する２つの突起部１２ｂとを有している。なお、雄ネジ部１２ａは、本発明の「第２ネジ部」の一例である。２つの突起部１２ｂは、ＣＣＤ支持部材１２がフロントパネル１０に対して光軸Ｌが延びる方向（Ｘ方向）にスライド移動する際に、溝部１０ｄと係合しながら溝部１０ｄに対してスライド移動可能なように、溝部１０ｄの間隔と略同じ幅を有する矩形状に形成されている。また、レンズマウント１１が回転された場合にも、ＣＣＤ支持部材１２は、図５に示すように、突起部１２ｂと溝部１０ｄとの係合によりフロントパネル１０に対して回転が規制される。さらに、レンズマウント１１は、図６に示すように、凹部１１ｃと爪部１０ｃとの係合によりフロントパネル１０に対して光軸Ｌが延びる方向（Ｘ方向）への移動が規制される。そして、雌ネジ部１１ａが雄ネジ部１２ａに対して相対的に回転されることにより、ＣＣＤ支持部材１２は、フロントパネル１０に対して光軸Ｌが延びる前後方向（Ｘ方向）にスライド移動されるように構成されている。これにより、ＣＣＤ１６は、フロントパネル１０に対して相対的に回転するのを規制された状態で、光軸Ｌが延びる方向に移動可能に構成される。
【００３０】
また、ＣＣＤ支持部材１２は、雄ネジ部１２ａの内側に設けられ、ＣＣＤ１６が取り付けられるＣＣＤ取付部１２ｃと、ＣＣＤ支持部材１２の後面に設けられ、圧縮コイルバネ１３が取り付けられるバネ取付部１２ｄと、ＣＣＤ支持部材１２の中心部分に設けられ、ＣＣＤ１６を前方（矢印Ｘ１方向）に露出させるための開口部１２ｅとを有している。圧縮コイルバネ１３は、バネ取付部１２ｄに取り付けられることにより、ＣＣＤ支持部材１２を前方（矢印Ｘ１方向）に付勢するように構成されている。これにより、ＣＣＤ支持部材１２とレンズマウント１１との間に前後方向（Ｘ方向）のガタが発生するのを抑制することが可能となる。
【００３１】
また、ＣＣＤ支持部材１２の開口部１２ｅには、ＣＣＤ１６により被写体を撮像した際に発生するモアレ（縞模様）を低減するためのガラス材からなる光学ローパスフィルタ１４が取り付けられている。また、光学ローパスフィルタ１４とＣＣＤ１６との間には、光学ローパスフィルタ１４とＣＣＤ１６とが接触するのを抑制するためのクッション材１５が配置されている。
【００３２】
また、ＣＣＤ支持部材１２の後方面には、図１０に示すように、固定部材１７（図３参照）を取り付けるための２つのネジ穴部１２ｆが設けられている。また、固定部材１７は、２つのネジ挿入孔１７ａが設けられている。そして、図５に示すように、２つのネジ部材４１を固定部材１７の２つのネジ挿入孔１７ａのそれぞれに挿入するとともに、ＣＣＤ支持部材１２のネジ穴部１２ｆ（図１０参照）と螺合することにより、固定部材１７は、ＣＣＤ支持部材１２に取り付けられるように構成されている。これにより、図６に示すように、ＣＣＤ１６がＣＣＤ支持部材１２と固定部材１７とに挟み込まれることにより、ＣＣＤ１６がＣＣＤ支持部材１２のＣＣＤ取付部１２ｃから脱落するのを防止することが可能となる。
【００３３】
また、フロントパネル１０のネジ孔部１０ｂは、図９に示すように、ネジ部材４０が螺合可能に構成されている。なお、ネジ部材４０は、本発明の「ストッパ部材」の一例である。このネジ部材４０は、ユーザにネジ孔部１０ｂに螺合されるのに伴って下方に押し込まれ、下端部４０ａがレンズマウント１１の筒部１１ｂを押圧するように構成されている。つまり、ネジ部材４０は、レンズマウント１１がフロントパネル１０に対して相対的に回転されるのを抑制することにより、ＣＣＤ支持部材１２が光軸Ｌの延びる方向に移動するのを抑制する機能を有している。
【００３４】
本実施形態では、上記のように、レンズユニット５０の雄ネジ部５０ａと螺合可能な雌ネジ部１１ａを含むレンズマウント１１と、映像を撮像するＣＣＤ１６を支持するとともに、レンズマウント１１に対してレンズユニット５０の光軸Ｌの延びる方向に移動可能で、かつ、レンズマウント１１の雌ネジ部１１ａと螺合する雄ネジ部１２ａを含むＣＣＤ支持部材１２とを設けることによって、レンズマウント１１の雌ネジ部１１ａに対して、レンズユニット５０の雄ネジ部５０ａとＣＣＤ支持部材１２の雄ネジ部１２ａとの両方が螺合されるので、レンズユニット５０の雄ネジ部５０ａの中心軸とＣＣＤ支持部材１２の雄ネジ部１２ａの中心軸とを、確実に同軸上に配置することができる。これにより、レンズマウント１１に対してレンズユニット５０の光軸Ｌの延びる方向に移動可能なＣＣＤ支持部材１２に支持されるＣＣＤ１６の中心が、レンズマウント１１の雌ネジ部１１ａの中心軸からずれるのを抑制することができるので、ＣＣＤ支持部材１２をレンズユニット５０が装着されるレンズマウント１１に対して相対的に移動させる場合にも、ＣＣＤ支持部材１２に保持されたＣＣＤ１６の中心が、レンズマウント１１の雌ネジ部１１ａに装着されたレンズユニット５０の光軸Ｌからずれるのを抑制することができ、その結果、ＣＣＤ１６の中心をレンズユニット５０の光軸Ｌと一致させることができる。
【００３５】
また、本実施形態では、上記のように、ＣＣＤ支持部材１２を、レンズマウント１１が回転されることにより、レンズマウント１１に対してレンズユニット５０の光軸Ｌの延びる方向に移動するように構成することによって、ＣＣＤ支持部材１２をレンズマウント１１に対してレンズユニット５０の光軸Ｌの延びる方向に移動させるための部品を別途設ける必要がないので、部品点数が増加するのを抑制することができる。
【００３６】
また、本実施形態では、上記のように、レンズマウント１１の雌ネジ部１１ａをレンズマウント１１の内周面に形成し、ＣＣＤ支持部材１２の雄ネジ部１２ａをＣＣＤ支持部材１２の外周面に形成し、レンズマウント１１を、フロントパネル１０に対して回転可能で、かつ、レンズユニット５０の光軸Ｌの延びる方向への移動が抑制するように構成し、ＣＣＤ支持部材１２を、レンズユニット５０の光軸Ｌの延びる方向へ移動可能で、かつ、フロントパネル１０に対する回転が抑制されるように構成することによって、レンズマウント１１を回転させることにより、ＣＣＤ支持部材１２をレンズユニット５０の光軸Ｌの延びる方向に移動可能に構成しながら、ＣＣＤ支持部材１２がフロントパネル１０に対して相対的に回転するのを抑制することができるので、ＣＣＤ１６をフロントパネル１０に対してレンズユニット５０の光軸Ｌの延びる方向に移動させながら、ＣＣＤ１６がフロントパネル１０に対して相対的に回転するのを抑制することができる。
【００３７】
また、本実施形態では、上記のように、フロントパネル１０にレンズマウント１１を配置可能な爪部１０ｃを一体的に設け、レンズマウント１１に、レンズマウント１１のレンズユニット５０の光軸Ｌの延びる方向の移動を抑制しながら、レンズマウント１１を回転可能にフロントパネル１０の爪部１０ｃと係合する凹部１１ｃを設けることによって、レンズマウント１１がレンズユニット５０の光軸Ｌの延びる方向に移動するのを抑制しながら、レンズマウント１１をフロントパネル１０に対して回転させることができる。
【００３８】
また、本実施形態では、上記のように、フロントパネル１０の爪部１０ｃを、弾性変形可能に形成することによって、組み立て時に、フロントパネル１０の爪部１０ｃの半径方向外側に広がる弾性を利用して、レンズマウント１１をフロントパネル１０の開口部１０ａに押し込むことにより、レンズマウント１１の凹部１１ｃを爪部１０ｃに係合させることができる。これにより、レンズマウント１１の凹部１１ｃをフロントパネル１０の爪部１０ｃに対して係合させる作業を容易化することができる。
【００３９】
また、本実施形態では、上記のように、フロントパネル１０に溝部１０ｄを一体的に設け、ＣＣＤ支持部材１２に、ＣＣＤ支持部材１２がフロントパネル１０に対して相対的に回転するのを抑制しながらレンズユニット５０の光軸Ｌの延びる方向に移動可能なようにフロントパネル１０の溝部１０ｄと係合する突起部１２ｂを設けることによって、ＣＣＤ支持部材１２の突起部１２ｂとフロントパネル１０の溝部１０ｄとを係合させることにより、容易に、ＣＣＤ支持部材１２をレンズユニット５０の光軸Ｌの延びる方向に移動させながら、ＣＣＤ支持部材１２がレンズマウント１１に対して相対的に回転するのを抑制することができる。
【００４０】
また、本実施形態では、上記のように、使用時にレンズマウント１１がフロントパネル１０に対して相対的に回転することによりＣＣＤ支持部材１２がレンズユニット５０の光軸Ｌが延びる方向に移動するのを抑制するネジ部材４０を設けることによって、レンズユニット５０とＣＣＤ支持部材１２との間のレンズユニット５０の光軸Ｌの延びる方向の距離を、ユーザが所望する長さに固定することができる。
【００４１】
また、本実施形態では、上記のように、レンズマウント１１にユーザにより操作される円形状のハンドル部１１ｄを設け、ハンドル部１１ｄの直径を、フロントパネル１０のレンズマウント１１が配置される側の外側面の最小内接円Ｃの直径と略同じ長さを有するように構成することによって、容易に、フロントパネル１０に隣接するハンドル部１１ｄを把持することができるので、ハンドル部１１ｄを操作しやすくすることができる。また、レンズマウント１１のハンドル部１１ｄの最外部がフロントパネル１０の外側面よりも外側に突出することがないので、レンズマウント１１が大型化するのを抑制することができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記実施形態では、本発明の撮像装置の一例として、監視カメラを示したが、本発明はこれに限らず、レンズユニットの光軸が延びる方向に移動可能に構成されるＣＣＤ支持部材を備えた撮像装置であれば、デジタルカメラおよびビデオカメラなど、監視カメラ以外の撮像装置にも適用可能である。
【００４４】
また、上記実施形態では、本発明の映像を撮像する撮像素子の一例としてＣＣＤを示したが、本発明はこれに限らず、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの他のイメージセンサを用いてもよい。
【００４５】
また、上記実施形態では、レンズマウントの内周面に、ネジ部を形成する例を示したが、本発明はこれに限らず、レンズマウントの外周面にネジ部を形成してもよい。この場合、レンズマウントの外周面に形成されるネジ部は雄ネジ部により構成され、レンズユニットのネジ部およびＣＣＤ支持部材のネジ部は、それぞれ、雌ネジ部により構成される。
【００４６】
また、上記実施形態では、レンズマウントの回転を抑制することによりＣＣＤ支持部材が光軸の延びる方向に移動するのを抑制するストッパ部材を、フロントパネルに設けられたネジ孔部に螺合されるネジ部材により構成する例を示したが、本発明はこれに限らず、ピンおよびリベットなど、レンズマウントの回転を抑制することが可能であれば、ネジ部材以外の部材を用いてもよい。
【００４７】
また、上記実施形態では、フロントパネルの前面を実質的に正方形形状を有するように形成する例を示したが、本発明はこれに限らず、レンズマウントのハンドル部の直径が、フロントパネルの前面の最小内接円の直径以上であれば、フロントパネルの前面を矩形状および楕円形など、正方形形状以外の形状を有するように構成してもよい。
【００４８】
また、上記実施形態では、レンズマウントのハンドル部の直径を、フロントパネルの前面の最小内接円の直径と略同じ長さを有するように構成する例を示したが、本発明はこれに限らず、レンズマウントのハンドル部の直径を、フロントパネルの前面の最小内接円の直径よりも大きく形成してもよい。この場合、レンズマウントのハンドル部の直径を、フロントパネルの前面の最小内接円の直径と略同じ長さを有するように構成する場合と比較して、ハンドル部をより回転しやすくすることができる。
【符号の説明】
【００４９】
１  監視カメラ（撮像装置）
１０  フロントパネル
１０ｃ  爪部（第１係合部）
１０ｄ  溝部
１１  レンズマウント（レンズマウント部）
１１ａ  雌ネジ部（第１ネジ部）
１１ｃ  凹部（第２係合部）
１１ｄ  ハンドル部（操作部）
１２  ＣＣＤ支持部材（撮像素子支持部材）
１２ａ  雄ネジ部（第２ネジ部）
１２ｂ  突起部
１６  ＣＣＤ（撮像素子）
４０  ネジ部材（ストッパ部材）
５０  レンズユニット
５０ａ  雄ネジ部（ネジ部）
Ｃ  内接円
Ｌ  光軸
【図１】
2010266545.tif 000003
【図２】
2010266545.tif 000004
【図３】
2010266545.tif 000005
【図４】
2010266545.tif 000006
【図５】
2010266545.tif 000007
【図６】
2010266545.tif 000008
【図７】
2010266545.tif 000009
【図８】
2010266545.tif 000010
【図９】
2010266545.tif 000011
【図１０】
2010266545.tif 000012